(57)【要約】【課題】  簡単な構成により、ラップベルトを腰部に掛けることができるシートベルト装置を提供することを課題とする。【解決手段】  少なくともラップベルト３を備えるシートベルト装置１であって、ラップベルト３の一端に取り付けられたプレート４と着脱自在のバックル５と、バックル５をシートＳＴ又はシートＳＴが固定されるボディに取り付けるためのバックル取付手段６とを備え、バックル取付手段６は、シートＳＴ又はボディに上下方向移動可能に取り付けられ、バックル取付手段６を下方側に取り付けることによってラップベルト３をシートＳＴに座っている人ＣＲの腰部に位置させることができる。【選択図】  図１
2005153553.tif 000002
【特許請求の範囲】
【請求項１】
少なくともラップベルトを備えるシートベルト装置であって、
前記ラップベルトの一端に取り付けられたプレートと着脱自在のバックルと、
前記バックルをシート又はシートが固定されるボディに取り付けるためのバックル取付手段と
を備え、
前記バックル取付手段は、前記シート又は前記ボディに上下方向移動可能に取り付けられることを特徴とするシートベルト装置。
【請求項２】
前記バックル取付手段には、前記バックル取付手段を上下方向に移動可能な位置にボルト孔が複数個開口され、
前記シート又は前記ボディには、アンカポイントにボルト孔が設けられ、
前記バックル取付手段は、前記シート又は前記ボディにボルトで締結されて取り付けられることを特徴する請求項１に記載するシートベルト装置。
【請求項３】
少なくともラップベルトを備えるシートベルト装置であって、
前記ラップベルトの一端に取り付けられたプレートと着脱自在のバックルと、
前記バックルをシート又はシートが固定されるボディに取り付けるためのバックル取付手段と
を備え、
前記バックル取付手段は、前記シート又は前記ボディに対して回動自在に取り付けられ、下方側に回動させた位置で固定可能なことを特徴とするシートベルト装置。
【請求項４】
前記バックル取付手段には、少なくとも２個のボルト孔が開口され、
前記シート又は前記ボディには、アンカポイントにボルト孔が設けられ、前記バックル取付手段を下方側に回動させた場合に前記バックル取付手段のボルト孔の位置に対応する位置にボルト孔が設けられ、
前記バックル取付手段を回動自在とする場合、前記バックル取付手段はアンカポイントの１箇所で前記シート又は前記ボディにボルトで締結されて取り付けられ、前記バックル取付手段を下方側に回動させた位置で固定する場合、前記バックル取付手段はアンカポイント以外の位置でも前記シート又は前記ボディにボルトで締結されて取り付けられることを特徴する請求項３に記載するシートベルト装置。
【発明の詳細な説明】
【技術分野】
【０００１】
本発明は、少なくともラップベルトを備えるシートベルト装置に関する。
【背景技術】
【０００２】
自動車等には、急ブレーキ時や衝突時等における乗員の安全性を確保するために、シートベルトが備えられる。例えば、三点式シートベルトの場合、ショルダベルトによって乗員の上半身をホールドし、ラップベルトによって乗員の腰部をホールドすることによって、十分な拘束性能が得られる。しかし、妊婦や肥満体等のお腹の大きい人の場合、ラップベルトが腰部ではなく腹部に掛かる傾向にあり、十分な拘束性能が得られない可能性がある。特に、妊婦の場合、腹部にラップベルトが掛かることは望ましくない。そこで、シートベルト装置には、ラップベルトが腹部に掛からないようにするために、乗員の着座位置に応じてバックルを回動させるものがある（特許文献１参照）。
【特許文献１】特開平４−５９４５２号公報
【特許文献２】特開２００３−２２６２２４号公報
【特許文献３】特開２００１−１８０４３５号公報
【特許文献４】特開平２−１７５４５７号公報
【特許文献５】特開平７−２６７０４６号公報
【発明の開示】
【発明が解決しようとする課題】
【０００３】
しかしながら、従来のシートベルト装置は、着座位置に応じてバックルの回動位置を変える機構を有するので、非常に構造が複雑となる。そのため、高コストとなり、実用的でない。また、従来のシートベルト装置では、着座位置によってはバックルが上向きとなり、ラップベルトが腹部に掛かる場合がある。
【０００４】
そこで、本発明は、簡単な構成により、ラップベルトを腰部に掛けることができるシートベルト装置を提供することを課題とする。
【課題を解決するための手段】
【０００５】
本発明に係るシートベルト装置は、少なくともラップベルトを備えるシートベルト装置であって、ラップベルトの一端に取り付けられたプレートと着脱自在のバックルと、バックルをシート又はシートが固定されるボディに取り付けるためのバックル取付手段とを備え、バックル取付手段は、シート又はボディに上下方向移動可能に取り付けられることを特徴とする。
【０００６】
このシートベルト装置では、バックル取付手段がシート又はボディに上下移動可能に取り付けられるので、バックル取付手段を下方に移動させることによりバックルの位置を通常の位置より下方に位置させることができる。バックルの位置が下方になると、ラップベルトを下方側に引っ張り、下方側に配置させることができる。このようにラップベルトを下方側に配置させることにより、ラップベルトをシートに座っている人の腰部に掛けることができ、ラップベルトによる十分な拘束性能を得ることができる。そのため、急ブレーキ時や衝突時に、シートに座っている人の安全性を確保することができる。また、ラップベルトが腹部に掛からないので、シートに座っている人への圧迫感を軽減し、特に、妊婦や肥満体等のお腹の大きい人に対する圧迫感を軽減する。さらに、このシートベルト装置は、バックル取付手段をシート等に上下移動可能に取り付けることができればよいので、非常に簡単に構成でき、低コストである。
【０００７】
本発明の上記シートベルト装置では、バックル取付手段には、バックル取付手段を上下方向に移動可能な位置にボルト孔が複数個開口され、シート又はボディには、アンカポイントにボルト孔が設けられ、バックル取付手段は、シート又はボディにボルトで締結されて取り付けられるように構成すると好適である。
【０００８】
このシートベルト装置では、バックル取付手段に開口されている複数個のボルト孔のなかで下方側のボルト孔とシート又はボディに設けられているボルト孔とをボルトで締結した場合、バックルが上方側に位置する。一方、このシートベルト装置では、バックル取付手段に開口されている複数個のボルト孔のなかで上方側のボルト孔とシート又はボディに設けられているボルト孔とをボルトで締結した場合、バックルが下方側に位置する。このように、このシートベルト装置では、バックル取付手段のボルト孔を上下方向に移動可能な位置に複数個設けるだけで、簡単にバックル取付手段を上下移動とすることができる。
【０００９】
本発明に係るシートベルト装置は、少なくともラップベルトを備えるシートベルト装置であって、ラップベルトの一端に取り付けられたプレートと着脱自在のバックルと、バックルをシート又はシートが固定されるボディに取り付けるためのバックル取付手段とを備え、バックル取付手段は、シート又はボディに対して回動自在に取り付けられ、下方側に回動させた位置で固定可能なことを特徴とする。
【００１０】
このシートベルト装置では、バックル取付手段を下方側に回動した位置で固定することにより、バックルの位置を通常の位置より下方側に位置させることができる。バックルの位置が下方側になると、ラップベルトを下方側に配置させることができ、ラップベルトをシートに座っている人の腰部に掛けることができる。さらに、このシートベルト装置は、バックル取付手段を下方側に回動させた位置で固定できればよいので、非常に簡単に構成でき、低コストである。
【００１１】
本発明の上記シートベルト装置では、バックル取付手段には、少なくとも２個のボルト孔が開口され、シート又はボディには、アンカポイントにボルト孔が設けられ、バックル取付手段を下方側に回動させた場合にバックル取付手段のボルト孔の位置に対応する位置にボルト孔が設けられ、バックル取付手段を回動自在とする場合、バックル取付手段はアンカポイントの１箇所でシート又はボディにボルトで締結されて取り付けられ、バックル取付手段を下方側に回動させた位置で固定する場合、バックル取付手段はアンカポイント以外の位置でもシート又はボディにボルトで締結されて取り付けられるように構成すると好適である。
【００１２】
このシートベルト装置では、アンカポイントでバックル取付手段に開口されているボルト孔とシート又はボディに設けられている対応するボルト孔とをボルトで締結されると、バックル取付手段（ひいては、バックル）を回動させることができる。さらに、このシートベルト装置では、アンカポイント以外でもバックル取付手段に開口されているボルト孔とシート又はボディに設けられている対応するボルト孔とをボルトで締結することにより、バックル取付手段を下方側に回動させた位置で固定することができる。このように、このシートベルト装置では、バックル取付手段のボルト孔を複数個設け、そのボルト孔に対応するボルト孔をシート又はボディに設けるだけで、簡単にバックル取付手段を下方側に回動させた位置で固定することができる。
【００１３】
なお、バックル取付手段が取り付けられるシート又はボディは、シート自体、ボディ自体だけでなく、バックル取付手段を取り付けるためにシートやボディに設けられる各種部材（取付フレーム等）も含む。
【発明の効果】
【００１４】
本発明によれば、バックルを下方側に配置させるための簡単な構成によりラップベルトを乗員の腰部に掛けることができ、ラップベルトによる十分な拘束性能を得ることができる。
【発明を実施するための最良の形態】
【００１５】
以下、図面を参照して、本発明に係るシートベルト装置の実施の形態を説明する。
【００１６】
本実施の形態では、本発明に係るシートベルト装置を、自動車に備えられる三点式のシートベルト装置に適用する。本実施の形態に係るシートベルト装置では、バックルを支持するバックルアームをシートに直接取り付ける。本実施の形態には、バックルアームの取り付け方法の違いにより２つの形態があり、第１の実施の形態ではバックルアームを上下移動可能とし、第２の実施の形態ではバックルアームを下方側に回動させた位置で固定可能とする。
【００１７】
図１及び図２を参照して、第１の実施の形態に係るシートベルト装置１について説明する。図１は、第１の実施の形態に係るシートベルト装置の使用状態を示す側面図であり、（ａ）がバックルの位置が最上方の場合であり、（ｂ）がバックルの位置が最下方の場合である。図２は、図１のバックル及びバックルアーム近傍の拡大図である。
【００１８】
シートベルト装置１は、三点式であり、ショルダベルト２で乗員ＣＲの上半身をホールドし、ラップベルト３で乗員ＣＲの腰部をホールドする。シートベルト装置１では、ショルダベルト２とラップベルト３との交点（以下、Ｌ／Ｓ交点と記載する）にタングプレート４が取り付けられ、タングプレート４をバックル５に差し込むことによってショルダベルト２とラップベルト３とがそれぞれの位置に固定される。また、シートベルト装置１は、バックル５を上下移動させることができ、バックル５を下方側に配置させることによりラップベルト３を乗員ＣＲの腰部に確実に位置させることができる。そのために、シートベルト装置１では、バックル５を支持するバックルアーム６に、上下移動可能な構造を施している。第１の実施の形態では、バックルアーム６が特許請求の範囲に記載するバックル取付手段に相当する。
【００１９】
バックルアーム６は、バックル５を支持するとともに、バックル５をシートＳＴに取り付けるための部材である。バックルアーム６は、継手部７と取付プレート８からなる。継手部７は、柔軟性のある素材で形成され、その一端部がバックル５に取り付けられるとともにその他端部が取付プレート８に取り付けられる。バックル５は、この継手部７により左右方向に移動可能である。
【００２０】
取付プレート８は、金属製の板状であり、長方形状である。取付プレート８は、この長方形状の一方の短辺部に継手部７が取り付けられる。取付プレート８には、長手方向に沿って一列に、継手部７から離れている側からボルト孔８ａ、ボルト孔８ｂ、ボルト孔８ｃが開口されている。ボルト孔８ａ，８ｂ，８ｃは、一定間隔（例えば、数ｃｍ間隔）をあけて配置される。なお、シートＳＴの座部ＳＳの一側面には、アンカポイントとなる位置に、取付プレート８をボルト９でボルト締め固定するためのボルト孔（図示せず）が設けられている。このシートＳＴ側のボルト孔には、ねじ山が形成されている。
【００２１】
バックルアーム６のシートＳＴへの取り付けは、ボルト孔８ａ，８ｂ，８ｃのいずれかのボルト孔をシートＳＴ側のボルト孔に合わせ、ボルト９によりボルト締めすることにより取り付けられる。このように、シートベルト装置１では、バックルアーム６側のアンカポイントを上下方向の配置された３箇所（ボルト孔８ａ，８ｂ，８ｃ）で変えることができ、バックル５の上下方向の位置を変えることができる。なお、バックルアーム６をシートＳＴに取り付けた際、バックルアーム６は、前後方向に回動自在である。
【００２２】
シートベルト装置１の作用について説明する。ここでは、ボルト孔８ｃでボルト締めを行った場合について説明する。シートベルト装置１では、図１（ｂ）に示すように、バックル５から最も近い位置のボルト孔８ｃとシートＳＴ側のボルト孔とを合わせてボルト９によってボルト締めした場合、バックル５が最も下方に位置する。そのため、Ｌ／Ｓ交点が最も下方に位置し、ラップベルト３の端部が下方（骨盤付近）に位置する。その結果、ラップベルト３は、乗員ＣＲの腰部の位置に固定される。そのため、乗員ＣＲは、ショルダベルト２で上半身がしっかりとホールドされるとともに、ラップベルト３によって腰部がしっかりとホールドされる。
【００２３】
ちなみに、図１（ａ）に示すように、バックル５から最も離れた位置のボルト孔８ａとシートＳＴ側のボルト孔とを合わせてボルト９によってボルト締めした場合、バックル５が最も上方に位置する。そのため、Ｌ／Ｓ交点が最も上方に位置し、ラップベルト３の端部が上方に位置するため、ラップベルト３が乗員ＣＲの腹部に掛かる場合がある。
【００２４】
また、中間位置のボルト孔８ｃとシートＳＴ側のボルト孔とを合わせてボルト９によってボルト締めした場合、バックル５がある程度下方に位置する。そのため、乗員ＣＲの体格（小さい人や痩せている人）の場合、ラップベルト３を乗員ＣＲの腰部の位置に固定することが可能である。
【００２５】
このシートベルト装置１によれば、ラップベルト３を乗員ＣＲの腰部に確実に掛けることができるので、ラップベルト３によって乗員ＣＲに対する十分な拘束性能が得られる。そのため、急ブレーキ時や衝突時でも、乗員ＣＲに対する安全性を確保することができる。また、このシートベルト装置１によれば、ラップベルト３が腹部に掛かることを防止できるので、乗員ＣＲ（特に、妊婦等のお腹の大きい人）に対してラップベルト３による圧迫感を軽減できる。さらに、シートベルト装置１は、バックル５を上下移動可能とするために、取付プレート８に３個のボルト孔８ａ〜８ｃを設けるだけの非常に簡単な構成であり、低コストである。
【００２６】
図３及び図４を参照して、第２の実施の形態に係るシートベルト装置１１について説明する。図３は、第２の実施の形態に係るシートベルト装置の使用状態を示す側面図であり、（ａ）がバックルが回動自在の場合であり、（ｂ）がバックルの位置が下方側に固定された場合である。図４は、図３のバックル及びバックルアーム近傍の拡大図である。シートベルト装置１１は、第１の実施の形態に係るシートベルト装置１とバックルアームのシートへの取り付け方法のみが異なるので、その点について詳細に説明する。なお、シートベルト装置１１では、シートベルト装置１と同様の構成については同一の符号を付し、その説明を省略する。
【００２７】
シートベルト装置１１は、バックル５を下方側に回動させた位置（すなわち、前方側に回動させた位置）で固定することによりラップベルト３を乗員ＣＲの腰部に位置させることができる。そのために、シートベルト装置１１では、バックル５を支持するバックルアーム１６及びシートＳＴに、回動させた下方側で固定可能な構造を施している。第２の実施の形態では、バックルアーム１６が特許請求の範囲に記載するバックル取付手段に相当する。
【００２８】
バックルアーム１６は、バックル５を支持するとともに、バックル５をシートＳＴに取り付けるための部材である。バックルアーム１６は、継手部１７と取付プレート１８からなる。継手部１７は、その一端部がバックル５に取り付けられるとともにその他端部が取付プレート１８に取り付けられる。
【００２９】
取付プレート１８は、金属製の板状であり、長方形状である。取付プレート１８は、この長方形状の一方の短辺部に継手部１７が取り付けられる。取付プレート１８には、長手方向に沿って一列に、継手部１７から離れている側からボルト孔１８ａ、ボルト孔１８ｂが開口されている。ボルト孔１８ａとボルト孔１８ｂとは、所定間隔（例えば、数ｃｍ〜十数ｃｍ程度）をあけて配置される。
【００３０】
シートＳＴの座部ＳＳの一側面には、アンカポイントとなる位置に取付プレート１８のボルト孔１８ａをボルト１９でボルト締め固定するためのボルト孔（図示せず）が設けられ、さらに、そのボルト孔の前方側かつ下方側に取付プレート１８のボルト孔１８ｂをボルト２０でボルト締め固定するためのボルト孔２１が設けられる。シートＳＴ側のアンカポイントのボルト孔とボルト孔２１との間隔は、取付プレート１８のボルト孔１８ａとボルト孔１８ｂとの間隔と同じ間隔である。このシートＳＴ側の２つのボルト孔には、ねじ山が形成されている。
【００３１】
バックルアーム１６のシートＳＴへの取り付けは、バックル５から離れた方のボルト孔１８ａをシートＳＴ側のアンカポイントのボルト孔に合わせ、ボルト１９によりボルト締めすることにより取り付けられる。この１箇所のボルト締めでバックルアーム１６を取り付けた場合、バックルアーム１６は、前後方向に回動自在である。さらに、バックルアーム１６の位置を下方側に固定する場合、バックル５から近い方のボルト孔１８ｂをシートＳＴ側のボルト孔２１に合わせ、ボルト２０によりボルト締めする。これによって、バックルアーム１６の回動が規制される。このように、シートベルト装置１１では、バックルアーム１６を前後方向に回動自在な状態と、バックルアーム１６（バックル５）を下方側に回動させた位置で固定することができる。ボルト孔２１を設ける位置としては、バックルアーム１６の位置を下方側に固定した場合、Ｌ／Ｓ交点が乗員ＣＲの骨盤付近になるような位置とする。
【００３２】
シートベルト装置１１の作用について説明する。ここでは、２つのボルト孔１８ａ，１８ｂ共にボルト締めを行った場合について説明する。シートベルト装置１１では、図３（ｂ）に示すように、２つのボルト孔１８ａ，１８ｂ共にシートＳＴ側の２つのボルト孔とを合わせてボルト１９，２０によってボルト締めした場合、バックル５が前方側かつ下方側に固定される。そのため、Ｌ／Ｓ交点が下方側に位置し、ラップベルト３の端部が下方（骨盤付近）に位置する。その結果、ラップベルト３は乗員ＣＲの腰部の位置に固定され、乗員ＣＲはショルダベルト２及びラップベルト３によってしっかりとホールドされる。
【００３３】
ちなみに、図３（ａ）に示すように、バックルアーム１６を固定せずに回動自在とし、バックルアーム１６が上方側（すなわち、後方側）に回動した場合、バックル５が最も上方に位置する。そのため、Ｌ／Ｓ交点が最も上方に位置、ラップベルト３の端部が上方に位置するため、ラップベルト３が乗員ＣＲの腹部に掛かる場合がある。
【００３４】
このシートベルト装置１１によれば、第１の実施の形態に係るシートベルト装置１と同様の効果が得られる。また、シートベルト装置１１は、バックル５を下方側に固定するために、取付プレート１８に２個のボルト孔１８ａ，１８ｂを設けるとともにシートＳＴ側にも２個のボルト孔を設けるだけの非常に簡単な構成であり、低コストである。
【００３５】
以上、本発明に係る実施の形態について説明したが、本発明は上記実施の形態に限定されることなく様々な形態で実施される。
【００３６】
例えば、本実施の形態では本実施の形態では自動車のシートベルト装置に適用したが、バス、飛行機、ジョットコースタ等に設けられる他のシートベルト装置にも適用可能である。また、三点式のシートベルト装置に適用したが、ラップベルトのみ備える二点式のシートベルト装置等の他の形態のシートベルト装置にも適用可能である。
【００３７】
また、本実施の形態ではバックルアームを取り付けるためのボルト孔をシートに直接設ける構成としたが、シートに取り付けたフレーム等に設けてもよいし、ボディやボディに取り付けたフレーム等に設ける構成でもよい。
【００３８】
また、第１の実施の形態では取付プレートに３つのボルト孔を設ける構成としたが、２つ、あるいは、４つ、５つ、・・・と設ける構成でもよい。ボルト孔の個数が多くなるほどバックルの上下方向の位置を多段階で設定することができ、乗員の体格に応じてバックルの位置を最適な位置に合わせることができる。
【００３９】
また、第１の実施の形態ではボルト孔を複数個設けることによってバックルアームを上下移動可能に取り付ける構成としたが、簡単な構成のスライド機構や伸縮機構等の他の手段により構成してもよい。
【００４０】
また、第２の実施の形態ではシート及び取付プレートに２つのボルト孔を設ける構成としたが、両者にボルト孔を３つ、４つ、・・と設けて、下方側に固定する箇所を複数段階としてもよい。固定する段階を多くすることによって、乗員の体格に応じてバックルの位置を最適な位置に合わせることができる。
【００４１】
また、第２の実施の形態ではバックルアーム側及びシート側にボルト孔を複数個設けることによってバックルアームを固定可能な構成としたが、簡単な構成のロック機構等の他の手段により構成してもよい。
【図面の簡単な説明】
【００４２】
【図１】第１の実施の形態に係るシートベルト装置の使用状態を示す側面図であり、（ａ）がバックルの位置が最上方の場合であり、（ｂ）がバックルの位置が最下方の場合である。
【図２】図１のバックル及びバックルアーム近傍の拡大図である。
【図３】第２の実施の形態に係るシートベルト装置の使用状態を示す側面図であり、（ａ）がバックルが回動自在の場合であり、（ｂ）がバックルの位置が下方側に固定された場合である。
【図４】図３のバックル及びバックルアーム近傍の拡大図である。
【符号の説明】
【００４３】
１，１１…シートベルト装置、２…ショルダベルト、３…ラップベルト、４…タングプレート、５…バックル、６，１６…バックルアーム、７，１７…継手部、８，１８…取付プレート、８ａ〜８ｃ，１８ａ，１８ｂ…ボルト孔、９，１９，２０…ボルト、２１…ボルト孔
【図１】
2005153553.tif 000003
【図２】
2005153553.tif 000004
【図３】
2005153553.tif 000005
【図４】
2005153553.tif 000006